(57)【要約】【課題】ストロボユニットに装着された電池ユニットに応じて電源制御を行って安全性を向上させる。【解決手段】ストロボユニット１０は電池ユニット１に接続され、電池ユニットから充電を受けて動作する。このストロボユニットは所定の充電電圧に達するまでの充電時間が互いに異なる複数の充電動作モードを備えている。システム制御回路１１は電池ユニットがストロボユニットに接続された際、電池ユニットから所定の識別情報が得られたか否かを判定して、その判定結果に応じて充電動作モードのうち一つを選択充電動作モードとして選択する。そして、システム制御回路は選択充電動作モードによって電池ユニットからストロボユニットへの充電を実行する。【選択図】図１
2013083810.tif 000002
【特許請求の範囲】
【請求項１】
電源に接続され、前記電源から充電を受けて動作する電子機器を制御するための電源制御装置において、
所定の充電電圧に達するまでの充電時間が互いに異なる複数の充電動作モードを備えており、
前記電源が前記電子機器に接続された際、前記電源から予め規定された識別情報が得られたか否かを判定する判定手段と、
前記判定手段による判定結果に応じて前記充電動作モードのうち一つを選択充電動作モードとして選択するモード選択手段と、
前記選択充電動作モードによって前記電源から前記電子機器への充電を行う充電実行手段とを有することを特徴とする電源制御装置。
【請求項２】
前記電源は通信機能を有する電源ユニットであり、
前記判定手段は、前記電源ユニットとの通信によって前記電源ユニットから前記識別情報を得るようにしたことを特徴とする請求項１記載の電源制御装置。
【請求項３】
前記判定手段によって前記識別情報が得られない判定されると、前記電源に関する電源情報として当該電源が正規品でない旨の表示を行う表示手段を有することを特徴とする請求項１又は２記載の電源制御装置。
【請求項４】
前記複数の充電動作モードとして、少なくとも第１及び第２の充電動作モードが規定され、前記第１の充電動作モードは前記第２の充電動作モードよりも前記充電時間が短なっており、
前記判定結果が前記識別情報を得られなかったことを示している際、前記モード選択手段は、前記選択充電動作モードとして前記第２の充電動作モードを選択することを特徴とする請求項１〜３いずれか１項記載の電源制御装置。
【請求項５】
前記判定手段によって前記識別情報が得られないと判定されると、前記電源を使用するか否かを告知する告知手段を有し、
前記電源を使用する旨のユーザ入力があると、前記モード選択手段は、前記第２の充電動作モードを前記選択充電動作モードとして選択することを特徴とする請求項４記載の電源制御装置。
【請求項６】
前記電源と前記電子機器との接続をオンオフするスイッチ手段と、
前記判定手段による判定結果に応じて前記スイッチ手段を制御するスイッチ制御手段とを有することを特徴とする請求項１〜５いずれか１項記載の電源制御装置。
【請求項７】
前記電子機器は、撮像装置で用いられるストロボユニットであることを特徴とする請求項４又は５記載の電源制御装置。
【請求項８】
請求項７記載の電源制御装置を備えるストロボユニットが装着され、
前記モード選択手段によって前記選択充電動作モードとして前記第２の充電動作モードが選択された際、前記第２の充電動作モードである旨を告知するモード告知手段を有することを特徴とする撮像装置。
【請求項９】
請求項７記載の電源制御装置を備えるストロボユニットが装着され、
前記モード選択手段によって前記選択充電動作モードとして前記第２の充電動作モードが選択された際、前記第１の充電動作モードにおける連続撮影可能時間よりもその連続撮影可能時間を短く設定する撮影設定手段を有することを特徴とする撮像装置。
【請求項１０】
前記モード選択手段によって前記選択充電動作モードとして前記第２の充電動作モードが選択された際、前記第１の充電動作モードにおける連続撮影可能時間よりもその連続撮影可能時間を短く設定する撮影設定手段を有することを特徴とする請求項８記載の撮像装置。
【請求項１１】
電源に接続され、前記電源から充電を受けて動作する電子機器を制御するための電源制御方法において、
前記電子機器には所定の充電電圧に達するまでの充電時間が互いに異なる複数の充電動作モードが備えられており、
前記電源が前記電子機器に接続された際、前記電源から予め規定された識別情報が得られたか否かを判定する判定ステップと、
前記判定手段による判定結果に応じて前記充電動作モードのうち一つを選択充電動作モードとして選択するモード選択ステップと、
前記選択充電動作モードによって前記電源から前記電子機器への充電を行う充電実行ステップとを有することを特徴とする電源制御方法。
【請求項１２】
電源に接続され、前記電源から充電を受けて動作する電子機器を制御するための電源制御プログラムにおいて、
前記電子機器には所定の充電電圧に達するまでの充電時間が互いに異なる複数の充電動作モードが備えられており、
コンピュータに、
前記電源が前記電子機器に接続された際、前記電源から予め規定された識別情報が得られたか否かを判定する判定ステップと、
前記判定手段による判定結果に応じて前記充電動作モードのうち一つを選択充電動作モードとして選択するモード選択ステップと、
前記選択充電動作モードによって前記電源から前記電子機器への充電を行う充電実行ステップとを実行させることを特徴とする電源制御プログラム。
【請求項１３】
請求項１２に記載の電源制御プログラムが格納されたコンピュータに読み取り可能な記録媒体。
【発明の詳細な説明】
【技術分野】
【０００１】
本発明は、電源制御装置、この電源制御装置が用いられる撮像装置、電源制御方法、及び電源制御プログラム、並びに記録媒体に関し、特に、デジタルカメラ等の撮像装置に用いられる電源制御装置、電源制御方法、及び電源制御プログラム、並びに記録媒体に関する。
【背景技術】
【０００２】
一般に、電源装置（単に電源ともいう）の一つとして電池（バッテリー）が知られている。そして、近年、電池を内蔵して通信機能を備える電池ユニットが知られている。この種の電池ユニットでは、例えば、電池容量、電池電圧、放電電流量、及び電池温度等を電池情報（電池データ）として、当該電池ユニットが装着される電子機器（本体機器ともいう）へ送信することが可能となっている。
【０００３】
つまり、この種の電池ユニットでは、通信機能を有するマイコンＩＣ（以下、電池側マイコンと呼ぶ）等を内蔵している。そして、電池ユニットを電子機器に装着した際、電池側マイコンが、電子機器に内蔵されたマイコンＩＣ（以下、本体側マイコンと呼ぶ）と接続される。これによって、電池側マイコンから本体側マイコンに上記の電池情報を送るようにしている。そして、本体側マイコンにおいては、受信した電池情報をディスプレイ等の表示部に表示している。
【０００４】
ところで、上述のような通信機能を備える電池ユニットを、電子機器の一つであるストロボユニット等に用いる場合、電池ユニットに備えられた電池は消耗品であることを考慮する必要がある。
【０００５】
そして、撮像チャンスを逃さないためには、ユーザは予備に電池ユニットを購入することが多い。この場合、予備の電池ユニットには、電池情報として送信される通信内容が規定の仕様を満たさない所謂規格外の電池ユニットも存在する。
【０００６】
このような規格外の電池ユニットを装着してストロボユニットを動作させると、正確な電池情報が得られないことになる。さらに、規格外の電池ユニットには内蔵する電池自体に安全性を欠くものもある。このため、ストロボユニットに対して正常な電圧の供給が行われないばかりでなく、ストロボユニット自体が故障する可能性がある。
【０００７】
このような不都合を回避するため、従来、ストロボユニット又は撮像装置に電池ユニットを装着した際、撮像装置側で当該電池ユニットに付与された特殊なＩＤコード（識別情報）の照合を行うようにしたものがある。
【０００８】
そして、当該照合によって、電池ユニットが規格外の電池ユニットであるか否かについて判定を行うようにしている。ここでは、装着された電池ユニットが規格外の電池であると判定すると、撮像装置は当該電池ユニットの使用を禁止するようにしている（例えば、特許文献１参照）。
【０００９】
一方、撮像装置においてストロボユニットは、電池電圧を発光可能な電圧まで昇圧してコンデンサにエネルギーを貯める充電を行って、発光動作に至る。ストロボユニット用の電池ユニットにおいて、前述した規格外の電池ユニットが使用された際に、連続発光が行われた場合等に過大な放電電流が流れて、電池ユニット自体が発熱することがある。そして、場合によっては電池ユニット自体又はストロボユニットが故障する可能性がある。
【００１０】
このような不都合を回避するため、例えば、ストロボユニットに装着された電池ユニットの判定を行って、ストロボ充電回路の作動を切換える電源制御装置が提案されている（例えば、特許文献２参照）。
【先行技術文献】
【特許文献】
【００１１】
【特許文献１】特開２００５−２８５５６７号公報
【特許文献２】特開２０００−１０１５９号公報
【発明の概要】
【発明が解決しようとする課題】
【００１２】
ところで、特許文献１に記載の撮像装置では、撮像装置に規格外の電池ユニットが装着されると、この規格外の電池ユニットの使用を一律に禁止するようにしている。しかしながら、規格外の電池ユニットといっても種々のものがあり、例えば、前述の通信不整合である規格外の電池ユニットが撮像装置に装着された場合には、撮像装置に障害が発生する可能性は低い。
【００１３】
従って、前述の通信不整合である規格外の電池ユニットが撮像装置に装着された場合には、一律に撮像装置の動作を禁止することは望ましくない。そして、このような規格外の電池ユニットを電源として使用する際には、撮像装置において十分な管理体制のもとに安全性を向上させ、撮像装置に影響を与えないようにすることが望ましい。
【００１４】
例えば、通信不整合である規格外の電池ユニットをストロボユニットの充電に用いる際には、規定外の電池ユニットであることを検出すると、電池ユニットの放電電流を抑制する充電動作を行うようにすればよい。
【００１５】
前述の特許文献２に記載の撮像装置では、撮像装置に装着される電池ユニットの種別に応じてストロボ充電回路の作動を切換えるようにしている。しかしながら、ここでは、電池ユニットの内部抵抗に応じた負荷特性によって電池ユニットの種別の判定を行っているだけである。
【００１６】
よって、特許文献２に記載の撮像装置では、前述のような通信不整合の規格外電池ユニットが撮像装置に装着された際にその安全性を考慮して使用することは困難である。
【００１７】
従って、本発明の目的は、ストロボユニット等の電子機器に装着された電源に応じて電源制御を行ってその安全性を向上することのできる電源制御装置、撮像装置、電源制御方法、及び電源制御プログラム、並びに記録媒体を提供することにある。
【課題を解決するための手段】
【００１８】
上記の目的を達成するため、本発明による電源制御装置は、電源に接続され、前記電源から充電を受けて動作する電子機器を制御するための電源制御装置において、所定の充電電圧に達するまでの充電時間が互いに異なる複数の充電動作モードを備えており、前記電源が前記電子機器に接続された際、前記電源から予め規定された識別情報が得られたか否かを判定する判定手段と、前記判定手段による判定結果に応じて前記充電動作モードのうち一つを選択充電動作モードとして選択するモード選択手段と、前記選択充電動作モードによって前記電源から前記電子機器への充電を行う充電実行手段とを有することを特徴とする。
【００１９】
本発明による撮像装置は、上記の電源制御装置を備えるストロボユニットが装着され、前記モード選択手段によって前記選択充電動作モードとして前記第２の充電動作モードが選択された際、前記第２の充電動作モードである旨を告知するモード告知手段を有することを特徴とする。
【００２０】
また、本発明による撮像装置は、上記の電源制御装置を備えるストロボユニットが装着され、前記モード選択手段によって前記選択充電動作モードとして前記第２の充電動作モードが選択された際、前記第１の充電動作モードにおける連続撮影可能時間よりもその連続撮影可能時間を短く設定する撮影設定手段を有することを特徴とする。
【００２１】
本発明による電源制御方法は、電源に接続され、前記電源から充電を受けて動作する電子機器を制御するための電源制御方法において、前記電子機器には所定の充電電圧に達するまでの充電時間が互いに異なる複数の充電動作モードが備えられており、前記電源が前記電子機器に接続された際、前記電源から予め規定された識別情報が得られたか否かを判定する判定ステップと、前記判定手段による判定結果に応じて前記充電動作モードのうち一つを選択充電動作モードとして選択するモード選択ステップと、前記選択充電動作モードによって前記電源から前記電子機器への充電を行う充電実行ステップとを有することを特徴とする。
【００２２】
本発明による電源制御プログラムは、電源に接続され、前記電源から充電を受けて動作する電子機器を制御するための電源制御プログラムにおいて、前記電子機器には所定の充電電圧に達するまでの充電時間が互いに異なる複数の充電動作モードが備えられており、コンピュータに、前記電源が前記電子機器に接続された際、前記電源から予め規定された識別情報が得られたか否かを判定する判定ステップと、前記判定手段による判定結果に応じて前記充電動作モードのうち一つを選択充電動作モードとして選択するモード選択ステップと、前記選択充電動作モードによって前記電源から前記電子機器への充電を行う充電実行ステップとを実行させることを特徴とする。
【００２３】
本発明による記録媒体は、上記の電源制御プログラムが格納されたコンピュータに読み取り可能な記録媒体である。
【発明の効果】
【００２４】
以上のように、本発明によれば、電源から予め規定された識別情報が得られたか否かに応じて充電動作モードを選択するようにしている。そして、電子機器に接続された電源から識別情報が得られたか否かが判定されるまで、充電が行われない結果、正規品以外の電源が電子機器に装着されても、過大な電流が電子機器に印加されることがないという効果がある。よって、電子機器に装着された電源に応じて電源制御を行い、その安全性を向上させることができることになる。
【図面の簡単な説明】
【００２５】
【図１】本発明の実施の形態による電源制御装置の一例を有する発光装置の一例を示す図である。
【図２】図１に示すカメラ一例の構成を示すブロック図である。
【図３】図１に示すストロボユニットにおける充電を説明するための図であり、（ａ）は第１の例（通常充電動作モード）を説明するための図、（ｂ）は第２の例（充電抑制動作モード）を説明するための図である。
【図４】図１に示すシステム制御回路において昇圧回路の発振制御を行った際の充電電圧を説明するための図であり、（ａ）は図３（ａ）に対応する図、（ｂ）は図３（ｂ）に対応する図である。
【図５】図１に示す電池ユニットがストロボユニットに装着された場合のシステム制御回路における制御を説明するためのフローチャートである。
【図６】図１に示す表示回路に表示される電池情報の一例を示す図である。
【図７】図１に示す表示回路に表示される通信不能告知の例を示す図であり、（ａ）は通信不能告知の一例を示す図、（ｂ）は通信不能告知の他の例を示す図である。
【図８】図２に示すカメラにストロボユニットが装着された際のシステム制御回路の制御を説明するためのフローチャートである。
【発明を実施するための形態】
【００２６】
以下、本発明の実施の形態による電源制御装置の一例が用いられた撮像装置について図面を参照して説明する。
【００２７】
図１は、本発明の実施の形態による電源制御装置の一例を有する発光装置（例えば、ストロボユニット）の一例を示す図である。
【００２８】
図１を参照して、図示のストロボユニット（電子機器）１０は、デジタルカメラ（以下、単にカメラと呼ぶ）１００等の撮像装置に装着される。そして、このストロボユニット１０には電池ユニット（電源又は電源ユニット）１が接続される。電池ユニット１は、通信機能を有しており、ここでは、正規品である電池ユニット１がストロボユニット１０に装着されている。
【００２９】
電池ユニット１は、電池セル２と電池制御回路３とを備えている。電池セル２は電池制御回路３に接続されている。そして、電池セル２の正極及び負極は電池制御回路３を介して外部端子に接続され、外部端子によって電池セル２はストロボユニット１０に接続されることになる。
【００３０】
電池制御回路３は、例えば、ワンチップマイクロコンピュータ（マイコンＩＣ）等の制御回路である。図示はしないが、電池制御回路３は通信機能部と電池残容量を監視する残容量検出部を有している。そして、電池制御回路３は、電池セル２に関する様々な電池情報（電源情報ともいう）を取得して記録する。
【００３１】
電池制御回路３は、これら電池情報を電池側送信データとしてストロボユニット１０に送信するとともに、後述するように、ストロボユニット１０から種々のストロボ側送信データを受ける。つまり、電池制御回路３はストロボユニット１０と相互通信を行う通信機能を有している。
【００３２】
また、電池制御回路３は電池セル２の認証機能を有しており、この認証機能によって、例えば、暗号化されたＩＤコード（識別情報）を、後述するようにしてストロボユニット１０に送信する。
【００３３】
電池ユニット１をストロボユニット１０に接続する際には、電池ユニット１をストロボユニット１０の電池室（図示せず）に挿入すると、電池ユニット１とストロボユニット１０とが接続される。そして、電池ユニット１からストロボユニット１０に電力の供給が行われるとともに、後述するようにして、電池情報がストロボユニット１０に与えられる。
【００３４】
ストロボユニット１０はカメラ１００に着脱可能であり、システム制御回路１１を備えている。そして、システム制御回路１１はストロボユニット１０全体を制御する。システム制御回路１１は、例えば、その内部にＲＯＭ、ＲＡＭ、Ａ／Ｄコンバータ、及びＤ／Ａコンバータ等を備えるマイクロコンピュータである。
【００３５】
システム制御回路１１は、後述するように、電池ユニット１との通信制御を行い、ＩＤコードについて判定を行う。そして、システム制御回路１１はＩＤコードに応じた充電動作モードに基づいた充電制御を実行する。
【００３６】
いま、ストロボユニット１０の電池室に電池ユニット１が挿入されると、電池セル２の正極は定電圧回路１２及びスイッチ部（スイッチ手段）１３に接続される。また、電池セル２の負極はストロボユニット１０のＧＮＤ（接地端子：図１においてＣ端子）に接続される。そして、電池ユニット１の通信端子はシステム制御回路１１のＢ端子に接続される。
【００３７】
定電圧回路１２は、電池ユニット１の出力電圧をシステム制御回路１１の動作条件に合致する電圧に変換する。そして、定電圧回路１２の出力電圧はシステム制御回路１のＡ端子に駆動電圧として与えられる。また、定電圧回路１２の出力電圧は昇圧回路１５の電源電圧としても用いられる。
【００３８】
図示のように、スイッチ部１３は、システム制御回路１１のＤ端子に接続され、システム制御回路１１から与えられるスイッチング信号（パルス信号）によってオンオフ制御される。
【００３９】
スイッチ部１３がオフしている場合には、電池ユニット１は電源安定用コンデンサ１４及び昇圧回路１５と切断された状態にある。つまり、スイッチ部１３がオンした場合に、電池ユニット１から昇圧回路１５等に電力供給が行われることになる。
【００４０】
なお、スイッチ部１３は、電力遮断の機能を有する電気素子であり、例えば、ＦＥＴ又はトランジスタで構成されている。
【００４１】
昇圧回路１５は、電池ユニット１から供給される電力（以下、電池電力と呼ぶ）を昇圧するＤＣ−ＤＣコンバータ回路で構成され、後述する主コンデンサ２６を充電するための回路である。そして、昇圧回路１５はシステム制御回路１１のＥ端子とＦ端子に接続され、後述するようにして、システム制御回路１１によって制御される。
【００４２】
図示のように、昇圧回路１５は発振トランス１６を有しており、当該発振トランス１６の一次側巻線にスイッチング素子であるＦＥＴ１７が接続される。図示のＦＥＴ１７はデプレッション形のＮチャンネルＦＥＴであり、そのドレイン端子が発振トランス１７の一次側巻線に接続されている。
【００４３】
そして、ＦＥＴ１７のソース端子が電池ユニット１の負極に接続されている。ＦＥＴ１７のゲート端子にはゲート端子抵抗１８が接続され、このゲート端子抵抗１８は電池ユニット１の負極に接続されている。
【００４４】
システム制御回路１１は、Ｅ端子からスイッチング信号をＦＥＴ１７のゲート端子に与えて、ＦＥＴ１７をオンオフ制御し、これによって、昇圧回路１５の発振動作を制御する。
【００４５】
発振トランス１６の二次側巻線には、ダイオード１９及びＮＰＮトランジスタ２１と抵抗２０、２２、及び２３とによって構成される電流検出回路が配置されている。
【００４６】
この電流検出回路において、発振トランス１６の二次側巻線にはダイオード１９のカソード端子が接続され、ダイオード１９のアノード端子にはＮＰＮトランジスタ２１のエミッタ端子が接続されている。さらに、ダイオード１９のアノード端子は抵抗２０を介して電池ユニット１の負極に接続され、ＮＰＮトランジスタ２１のベース端子は電池ユニット１の負極に接続されている。
【００４７】
抵抗２３は、システム制御回路１１のＦ端子に接続され、抵抗２２は定電圧回路１２の出力側に接続されている。そして、抵抗２２及び２３の接続点にＮＰＮトランジスタ２１のコレクタ端子が接続されている。
【００４８】
上記の電流検出回路は、発振トランス１５の二次側巻線における発振電流の監視（検出）を行って、発振電流を入力電流としてシステム制御回路１１に与える。抵抗２３を介してシステム制御回路１１のＦ端子に与えられる入力電流に応じて、システム制御回路１１は、昇圧回路１５の発振動作を監視する。そして、システム制御回路１１はＥ端子から出力するスイッチング信号を制御して、昇圧回路１５における発振制御動作を決定する。
【００４９】
ところで、図示のストロボユニット１０においては、例えば、発光素子としてキセノン管２７が用いられており、キセノン管２７の発光可能な電圧は２００Ｖ〜３５０Ｖである。よって、前述のように、昇圧回路１５によって電池電圧を昇圧して高電圧としている。
【００５０】
昇圧回路１５の二次側巻線にはダイオード２４のアノード端子が接続され、このダイオード２４によって昇圧回路１５における出力高圧の整流が行われる。ダイオード２４のカソード端子は、充電検出回路２５、主コンデンサ２６の正極、及び閃光放電管（ここでは、キセノン管）２７の正極に接続されている。そして、充電検出回路２５、主コンデンサ２６の負極、及び閃光放電管２７の負極は電池ユニット１の負極に接続されている。
【００５１】
主コンデンサ２６は、閃光放電管２７で要する放電エネルギーを電荷として蓄積する。そして、閃光放電管２７で、主コンデンサ２６に蓄積された電荷を放電して発光する（ストロボ発光）。
【００５２】
充電検出回路２５は、主コンデンサ２６に充電された電荷（つまり、充電電圧）を検出するための回路である。充電検出回路２５は、システム制御回路１１のＧ端子に充電電圧に比例した電圧を充電検出電圧として出力する。システム制御回路１１は、充電検出電圧を監視して、予め設定された充電閾値電圧に達すると、昇圧回路１５の発振停止を行って充電を停止する。
【００５３】
閃光放電管２７には閃光制御回路２８が接続されており、閃光制御回路２８によって閃光放電管２７における放電電流が制御される。この閃光制御回路２８は、システム制御回路１１のＨ端子に接続されている。システム制御回路１１は、Ｈ端子から閃光制御回路２８に発光開始信号及び発行停止信号を選択的に与えて、閃光放電管２７による発光を制御する。
【００５４】
図示の例では、システム制御回路１１には、スイッチ検出回路２９がＩ端子によって接続されるとともに、表示回路３０（表示手段）がＪ端子によって接続されている。さらに、システム制御回路１１にはＫ端子によってＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）３１が接続されている。
【００５５】
スイッチ検出回路２９は、ストロボユニット１０の外装に配置された各スイッチ（図示せず）の状態を検出して、スイッチ操作状態情報をシステム制御回路１１に与える。例えば、後述する使用可否選択スイッチのスイッチ操作状態情報が、スイッチ検出回路２９からシステム制御回路１１に与えられる。そして、システム制御回路１１は、このスイッチ操作状態情報に応じて使用可否選択スイッチの操作状態を判定する。
【００５６】
表示回路３０は、ストロボユニット１０の外装に配置された液晶ディスプレイ（ＬＣＤ又はＴＦＴ）およびＬＥＤ等の表示部であり、システム制御回路１１は表示回路３０に各種情報を表示する。例えば、表示回路３０には、ストロボ撮像に関する情報及び電池情報等が表示される。
【００５７】
ＥＥＰＲＯＭ３１は、電気的にデータの書換えが可能な不揮発性ＲＯＭであり、各種設定及びカメラ１００に対する情報は、このＥＥＰＲＯＭ３１に記録される。
【００５８】
図２は、図１に示すカメラ１００の一例の構成を示すブロック図である。なお、図示のカメラ１００は、例えば、一眼レフレックス方式のデジタルカメラである。
【００５９】
図２を参照して、図１で説明したストロボユニット１０は接続端子１１９によってカメラ１００に接続される。カメラ１００には、撮像レンズ２００がレンズ接続端子１０３によって装着される。撮像レンズ２００はカメラ１００に対して着脱可能であって、絞り機能を備えている。
【００６０】
カメラ１００には、カメラ１００全体を制御するシステム制御回路１０１が備えられている。このシステム制御回路１０１は、例えば、ＲＯＭ、ＲＡＭ、Ａ／Ｄコンバータ、Ｄ／Ａコンバータ、及び時計機能を有するマイクロコンピュータである。
【００６１】
システム制御回路１０１は、ストロボユニット１０との通信制御を行うとともに、ストロボユニット１０が電池ユニット１から受けた電池情報に応じて各充電動作モードに係る処理及び制御を実行する。
【００６２】
さらに、カメラ１００には、測距制御部１０２が備えられ、測距制御部１０２は撮像レンズ２００のフォーカシングを制御する。例えば、測距制御部１０２は測距センサ（図示せず）を備え、測距センサで得られた複数の測距点に基づいて焦点調節を行う。また、測距制御部１０２は、システム制御回路１０１によって求められた絞り値（Ａｖ値）に応じて撮像レンズ２００の絞りを開閉・制御する。
【００６３】
なお、測距制御部１０２は、撮像レンズ２００の焦点調節及び絞り開閉を、レンズ接続端子１０３を介して行う。また、レンズ接続端子１０３は、例えば、数本のライン接続によって構成され、電源供給、レンズ情報、及びレンズ駆動制御等の送受に介在する。
【００６４】
カメラ１００には露光制御部１０４が備えられている。露光制御部１０４は測光センサ（図示せず）を有し、シャッター１０５の動作を制御する。露光制御部１０４は、システム制御回路１０１によって求められたシャッター秒時（Ｔｖ値）に基づいて、フォーカルプレンシャッターであるシャッター１０５の先幕及び後幕を開閉・制御する。
【００６５】
図示のように、システム制御回路１０１には、撮像制御回路１１１が接続されている。この撮像制御回路１１１は、システム制御回路１０１の制御下で、タイミング発生回路１０８、Ｄ／Ａ変換器１１０、及び画像表示メモリ１１３を制御する。つまり、撮像制御回路１１１は、画像データの取得タイミング、画像データの表示、及び画像データの記録を制御することになる。
【００６６】
タイミング発生回路１０８は、撮像素子１０６、Ａ／Ｄ変換器１０７、及びＤ／Ａ変換器１１０にクロック信号又は制御信号を与えて、タイミング制御を実行する。
【００６７】
撮像レンズ２００から入射した光学像は、撮像素子１０６上に結像されて、ここで、電気信号（アナログ画像信号）に変換される。ここでは、撮像素子１０６として、例えば、ＣＣＤ（Ｃｈａｒｇｅ  Ｃｏｕｐｌｅｄ  Ｄｅｖｉｃｅ）センサ又はＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）センサが用いられている。
【００６８】
撮像素子１０６から出力されたアナログ画像信号は、Ａ／Ｄ変換器１０７によってデジタル画像信号に変換されて、画像処理部１０９に与えられる。画像処理部１０９は、デジタル画像信号に対して所定の画素補間処理及び色変換処理等を行って、画像データとして撮像制御回路１１１に与える。また、画像処理部１０９は、画像データメモリ１１４から読み出された画像データに対して画素補間処理及び色変換処理等を行う。
【００６９】
撮像制御回路１１１は、画像データを一旦画像表示メモリ１１３に表示用画像データとして書き込む。そして、この表示用画像データは、撮像制御回路１１１によってＤ／Ａ変換器１１０でアナログ画像データに変換されて、カメラ１００の背面に配置された情報表示部１１２で表示される。図示の例では、情報表示部は、ＴＦＴ型カラーＬＣＤ（Ｌｉｑｕｉｄ  Ｃｒｙｓｔａｌ  Ｄｉｓｐｌａｙ）である。
【００７０】
なお、情報表示部１１２は撮像後の画像確認に用いられる他、システム制御回路１０１から送られる各種情報（例えば、ストロボユニット１０の情報告知）を表示する。
【００７１】
上述のようにして得られた撮像後の画像データは、当該画像データに付帯する撮像情報とともに、撮像制御回路１１１によって画像データメモリ１１４に格納される。この画像データメモリ１１４は、所定枚数の画像を格納するのに十分な記憶容量を有している。
【００７２】
図示のように、システム制御回路１０１には、シャッタースイッチ１１５、操作スイッチ１１６、撮像情報表示部１１７、及び不揮発性メモリ（例えば、ＥＥＰＲＯＭ）１１８が接続されている。
【００７３】
シャッタースイッチ１１５が操作されると、システム制御回路１０１は撮像開始を発動する。このシャッタースイッチ１１５は、シャッターボタン（図示せず）の操作途中（半押し）でオンとなるスイッチＳＷ１と、シャッターボタンの操作完了（全押し）でオンとなるスイッチＳＷ２とを有している。
【００７４】
シャッタースイッチＳＷ２のオンによって、システム制御回路１０１の制御下で、撮像素子１０６からアナログ画像信号が読み出される。そして、画像処理部１０９による処理を経て、画像データが画像データメモリ１１４に書き込まれることになる。つまり、シャッタースイッチＳＷ２のオンによって、システム制御回路１０１は一連の撮像処理の動作開始を指示することになる。
【００７５】
操作スイッチ１１６は、カメラ１００の外装に設置されており、操作スイッチ１１６によって撮像条件、撮像の結果得られた画像データの編集・閲覧がシステム制御回路１０１に指示される。
【００７６】
撮影情報表示部１１７はシャッタースイッチ１１５の近傍において視認し易い位置に設置されている。そして、撮影情報表示部１１７にはシステム制御回路１０１におけるプログラムの実行に応じたカメラ１００の動作状態が、文字及びアイコン等で表示される。
【００７７】
なお、不揮発性メモリ１１８には、電源供給が断たれた場合等を考慮して、撮像条件等の設定情報が記録される。例えば、不揮発性メモリ１１８には、ストロボユニット１０との通信によって得られた各種情報（例えば、電池情報）が記録される。
【００７８】
前述のように、カメラ１００は接続端子１１９によってストロボユニット１０と接続されるが、ストロボユニット１０とカメラ１００との通信は、特定コードの通信プロトコルによって行われる。そして、ストロボユニット１０に関する充電情報（例えば、充電動作モード）、カメラ１００の絞り情報等が特定コードによってストロボユニット１０とカメラ１００との間で送受される。
【００７９】
なお、電池情報はこの特定コードに含まれている。また、ストロボユニット１０とカメラ１００との通信は、無線通信形態で行うようにしてもよい。
【００８０】
図３は、図１に示すストロボユニット１０における充電を説明するための図である。そして、図３（ａ）は第１の例（通常充電動作モード）を説明するための図、図３（ｂ）は第２の例（充電抑制動作モード）を説明するための図である。
【００８１】
まず、図１及び図３（ａ）を参照して、いま、スイッチ部１３がオンであるとする。システム制御回路１１が、Ｅ端子からスイッチング信号として、駆動パルス幅Ｘｔのパルス信号をＦＥＴ１７のゲート端子に与える。これによって、Ｅ端子がハイレベル（Ｈ）である駆動パルス幅Ｘｔの時間、ＦＥＴ１７がオンすることになる。
【００８２】
ＦＥＴ１７のオンによって、電池ユニット１の正極からスイッチ部１３を介して発振トランス１６の一次側巻線（ａ端子−ｂ端子）、ＦＥＴ１７のドレイン端子、及びソース端子を通って電流が流れる（昇圧回路１５の一次電流）。
【００８３】
この際、発振トランス１６の一次側巻線の流れる電流（一次電流）は、駆動パルス幅Ｘｔと電池ユニット１の電池電圧とによって決定される。図３（ａ）に示すように、一次電流の電流値は、Ｅ端子がハイレベルとなった後、除々に増加して、その最大値（ピーク値）はＩ１Ａ（アンペア）であるとする。また、一次電流は、駆動パルス幅Ｘｔに対応する時間ＸμＳの間流れることになる。なお、一次電流の電流値は発振トランス１６が磁気飽和しない電流値に設定されている。
【００８４】
システム制御回路１１から出力されるパルス信号がロウレベル（Ｌ）となってＦＥＴ１７がオフとなると、ＦＥＴ１７がオンの時間において発振トランス１６に蓄えられたエネルギーが放出される。これによって、発振トランス１６の二次側巻線（つまり、ｃ端子からｄ端子）に電流（二次電流）が流れる。
【００８５】
二次電流は、発振トランス１６のｄ端子、ダイオード２４、主コンデンサ２６、抵抗２０、ダイオード１９、及び発振トランス１６のｃ端子の方向に流れ、電流ループが形成される。
【００８６】
二次電流は、ＦＥＴ１７がオフされた直後においては、その最大値（ピーク値）は、例えば、Ｉ２ｍＡ（ミリアンペア）であり、二次電流の電流値は徐々に低減する。そして、二次電流が抵抗２０を流れることによって抵抗２０に生ずる電圧に応じて、ＮＰＮトランジスタ２１がオンする。
【００８７】
これによって、定電圧回路１２の出力電圧は、抵抗２２を介してＮＰＮトランジスタ２１のコレクタ端子に印加されて、ＮＰＮトランジスタ２１のコレクタ端子とエミッタ端子との間に電流が流れる。従って、システム制御回路１１のＦ端子はロウレベル（Ｌ）となる。
【００８８】
システム制御回路１１から出力されるパルス信号の一周期によって、発振トランス１６のエネルギーが放出されて、二次電流が低下すると、抵抗２０に電流が流れなくなる。その結果、ＮＰＮトランジスタ２１がオフする。ＮＰＮトランジスタ２１がオフすると、システム制御回路１１のＦ端子はハイレベルとなって、次の発振に備えることになる。
【００８９】
続いて、図１及び図３（ｂ）を参照すると、いま、システム制御回路１１がＥ端子からＦＥＴ１７のゲート端子に駆動パルス幅Ｙｔのパルス信号を与える。これによって、ＦＥＴ１７がオンして、電池ユニット１の正極からスイッチ部１３を介して発振トランス１６のａ端子、ｂ端子、ＦＥＴ１７のドレイン端子、及びソース端子を介して電流が流れる（昇圧回路１５の一次電流）。
【００９０】
この際、発振トランス１６の一次電流は駆動パルス幅Ｙｔと電池ユニット１の電源電圧によって決定される。いま、図３（ｂ）に示すように、その一次電流の最大値はＩ１´Ａ（アンペア）であるとする。なお、Ｉ１’Ａ（アンペア）はＩ１Ａ（アンペア）よりも低い値に設定されているものとする。
【００９１】
システム制御回路１１から出力されるパルス信号がロウレベル（Ｌ）となって、ＦＥＴ１７がオフすると、ＦＥＴ１７がオンの時間において発振トランス１６に蓄えられたエネルギーが放出される。これによって、発振トランス１６のｃ端子からｄ端子に二次電流が流れる。
【００９２】
この二次電流は、発振トランス１６のｄ端子、ダイオード２４、主コンデンサ２６、抵抗２０、ダイオード１９、及び発振トランス１６のｃ端子の方向に流れて、電流ループを形成する。そして、ＦＥＴ１７がオフされた直後において、二次電流の最大値はＩ２´ｍＡ（ミリアンペア）となり、徐々に電流値は低下する。なお、Ｉ２´ｍＡ（ミリアンペア）はＩ２ｍＡ（ミリアンペア）よりも低い。
【００９３】
この二次電流によって抵抗２０に電圧が発生して、これによって、ＮＰＮトランジスタ２１がオンする。その結果、定電圧回路１２の出力電圧が抵抗２２を介してＮＰＮトランジスタ２１のコレクタ端子に印加されて、コレクタ端子とエミッタ端子との間に電流が流れる。従って、システム制御回路１１のＦ端子はロウレベル（Ｌ）となる。
【００９４】
システム制御回路１１から出力されるパルス信号の一周期で発振トランス１６のエネルギーが放出され、二次電流が低下すると、抵抗２０に電流が流れなくなってＮＰＮトランジスタ２１がオフする。このため、システム制御回路１１のＦ端子はハイレベル（Ｈ）となり、次の発振に備えることになる。
【００９５】
なお、次の発振までの時間（デューティー）を長くすれば、一次電流を抑えることができる。
【００９６】
このようにして、システム制御回路１１によって、昇圧回路１５における発振時間を制御すれば、電池ユニット１の電流である一次電流を抑制することができる。
【００９７】
図４は、図１に示すシステム制御回路１１において昇圧回路１５の発振制御を行った際の充電電圧を説明するための図である。そして、図４（ａ）は図３（ａ）に対応する図であり、図４（ｂ）は図３（ｂ）に対応する図である。
【００９８】
図４（ａ）及び（ｂ）に示すように、主コンデンサ２６に蓄積される電荷によって生じる充電電圧は、所定の充電電圧ＣＶまで上昇して、この充電電圧ＣＶが保持される。ここでは、充電電圧ＣＶに到達するまでの時間を充電時間ＣＴとする。
【００９９】
図４（ａ）及び（ｂ）において、所定の充電電圧ＣＶに到達するまでの到達時間ＣＴは、昇圧回路１５の一次電流によって異なり、一次電流の最大値を低くすると、到達時間、つまり、充電時間ＣＴは長くなる。
【０１００】
従って、図３（ｂ）で説明したようにして、昇圧回路１５の一次電流を低くすると、図４（ｂ）に示すように、所定の充電電圧ＣＶに達するまでの充電時間ＣＴは、図４（ａ）に示す充電時間ＣＴよりも長くなる。
【０１０１】
図５は、図１に示す電池ユニット１がストロボユニット１０に装着された場合のシステム制御回路１１における制御を説明するためのフローチャートである。
【０１０２】
図１及び図５を参照して、いま、電池ユニット１がストロボユニット１０に装着されると、システム制御回路１１は電池装着モードを実行する（ステップＳ５０１）。電池装着モードとなると、システム制御回路１１は、電池ユニット１の判定が終了するまで、スイッチ部１３をオフとする（充電ラインスイッチオフ：ステップＳ５０２）。そして、システム制御回路１１は、電池ユニット１に予め規定された通信情報（初期通信情報と呼ぶ）を送信する（ステップＳ５０３）。この初期通信情報には、例えば、予め定められた特定のＩＤコード又は暗号化コードが含まれている。
【０１０３】
この初期通信情報に応答して、電池制御回路３は、電池ユニット１に係るＩＤコード（識別情報）を返答通信情報としてシステム制御回路１１に送る。システム制御回路１１は、例えば、返答通信情報、つまり、ＩＤコードが正常であるか否かについてチェックする（ステップＳ５０４）。言い換えると、システム制御回路１１は、正常なＩＤコードが得られたか否かについて判定することになる。
【０１０４】
返答通信情報が正常であると判定すると（ステップＳ５０４において、ＹＥＳ）、システム制御回路１１は、電池ユニット１が正規品であるとする（ステップＳ５０５）、そして、システム制御回路１１は、電池制御回路３に対して電池情報（電池データともいう）の要求を行う（ステップＳ５０６）。
【０１０５】
当該要求に応答して、電池制御回路３は、予め規定された通信コードによって電池情報をシステム制御回路１１に送信する。これによって、システム制御回路１１は電池ユニット１に関する電池情報を取得して（ステップＳ５０７）、システム制御回路１１の内蔵メモリに記録する（メモリストック：ステップＳ５０８）。
【０１０６】
続いて、システム制御回路１１は、スイッチ部１３をオンして、充電ラインを昇圧回路１５に接続する（ステップＳ５０９）。
【０１０７】
システム制御回路１１には、複数の充電動作モードが規定されている。そして、システム制御回路１１は、上述のステップＳ５０４で説明した判定結果に応じて、複数の充電動作モードのうち一つを選択充電動作モードとして選択する。
【０１０８】
前述のように、電池ユニット１が正規品であると判定すると、システム制御回路１１は、選択充電動作モードとして通常充電動作モード（第１の充電動作モード）を選択する。そして、システム制御回路１１は電池情報を表示回路３０に表示する（ステップＳ５１０）。
【０１０９】
なお、当該通常充電動作モードにおいては、図３（ａ）で説明したようにして、システム制御回路１１は充電制御を行うことになる。
【０１１０】
図６は、図１に示す表示回路３０に表示される電池情報の一例を示す図である。ここでは、電池情報がバッテリー情報として表示され、電池マーク６１によって電池セル２の電池残量が示される。そして、電池セル２の消耗に合わせて電池マーク６１の残量が変化する。
【０１１１】
さらに、図示の例では、バッテリー情報として、残容量の割合（％）が示されるとともに、電池電圧、電池温度、及び電池劣化度が示されている。
【０１１２】
再び図１及び図５を参照して、返答通信情報が正常でない、つまり、不整合であると判定すると（ステップＳ５０４において、ＮＯ）、システム制御回路１１は、電池２が規格外の電池であるとする（ステップＳ５１１）。そして、システム制御回路１１は、表示回路３０に通信不能告知表示を行う（ステップＳ５１２）。
【０１１３】
図７は、図１に示す表示回路３０に表示される通信不能告知の例を示す図である。そして、図７（ａ）は通信不能告知の一例を示す図であり、図７（ｂ）は通信不能告知の他の例を示す図である。
【０１１４】
図７（ａ）においては、システム制御回路１１は、表示回路３０に電池マーク６１の枠のみを表示して、これによって電池ユニット１と通信が不能であることを表す。さらに、システム制御回路１１は、電池ユニット１との通信不整合によって電池情報を得ることができないいので、表示回路３０に「バッテリーと通信できません」との文言を表示して、ユーザへの告知を行う。
【０１１５】
一方、図７（ｂ）においては、図７（ａ）に示す表示に加えて、システム制御回路１１は、表示回路３０に「このバッテリーを使用しますか？」の文言を表示するとともに、「はい」「いいえ」で示す選択ボタン６２及び６３を表示する。なお、この選択ボタン６２及び６３は、前述の使用可否選択スイッチとして機能することになる。
【０１１６】
以下の説明では、システム制御回路１１は、図７（ｂ）に示す画面表示を行うものとして説明する。
【０１１７】
システム制御回路１１は、図７（ｂ）に示す画面において、選択ボタン６２及び６３のいずれが選択されたかを監視している（ステップＳ５１３）。つまり、システム制御回路１１は、電池ユニット１の使用可否選択を監視している。
【０１１８】
いま、ユーザが「はい」の選択ボタン６２を選択すると（ユーザ入力）、つまり、ユーザが使用可を選択すると（ステップＳ５１３において、ＹＥＳ）、システム制御回路１１は、当該選択結果をＥＥＰＲＯＭ３１に記録する（ステップＳ５１４）。そして、システム制御回路１１はスイッチ部１３をオンして（ステップＳ５１５）、充電ラインを昇圧回路１５に接続する。
【０１１９】
その後、システム制御回路１１は、充電抑制動作モード（第２の充電動作モード）へ移行する（ステップＳ５１６）。つまり、ここでは、電池ユニット１が規格外の電池ユニットであると判定しており、この場合、システム制御回路１１は、選択充電動作モードとして充電抑制動作モード（第２の充電動作モード）を選択する。なお、この充電抑制動作モードは、図３（ｂ）で説明したように、一次電流を抑えて充電制御を行う充電動作モードである。
【０１２０】
一方、ユーザが「いいえ」の選択ボタン６３を選択すると（ユーザ入力）、つまり、使用不可であると（ステップＳ５１３において、ＮＯ）、システム制御回路１１は、当該選択結果をＥＥＰＲＯＭ３１に記録する（ステップＳ５１７）。そして、システム制御回路１１は、選択充電動作モードとして充電動作停止モードを選択する（ステップＳ５１８）。この充電動作停止モードにおいては、システム制御回路１１は充電制御を実行しない。
【０１２１】
このようにして、システム制御回路１１は、ストロボユニット１０に装着される電池ユニット１から送られた返答通信情報を判定するまで、充電制御を実行しないようにする。そして、電池ユニット１が規格外品か正規品であるかに応じて、その充電制御を異ならせるようにしている。
【０１２２】
例えば、電池ユニット１が規格外品である場合には、システム充電を抑制する充電抑制モードによって充電制御を行うことになるので、電池ユニット１が規格外品であっても、ストロボユニット１０に障害が生じる恐れが少なくなる。その結果、電池ユニット１の安全性を向上させることができることになる。
【０１２３】
このように、電池ユニット１が規格外品である場合には、ユーザの選択に応じて使用可能として、当該電池ユニット１を使用する場合においても充電の際の一次電流を抑える充電抑制動作モードを行うようにする。これによって、ストロボユニット１０に不測の事態が生じることを極力防止することができる。その結果、電池ユニット１の安全性が向上することになる。
【０１２４】
続いて、ストロボ１０に通信不整合の電池ユニット１、つまり、規格外品が挿入されている際のカメラ１００の動作について説明する。
【０１２５】
図８は、図２に示すカメラ１００にストロボユニット１０が装着された際のシステム制御回路１０１の制御を説明するためのフローチャートである。
【０１２６】
図１、図２、及び図８を参照して、いま、ストロボユニット１０がカメラ１００に装着されると、システム制御回路１０１はストロボ装着モードを実行する（ステップＳ８０１）。ストロボ装着モードとなると、システム制御回路１０１は、ストロボユニット１０に対して予め規定された通信情報を送信する（ステップＳ８０２）。この通信情報は、所定のＩＤコードを含んでいる。ストロボユニット１０との通信は、予め定められた通信プロトコルによって実行される。
【０１２７】
当該通信情報に対してストロボユニット１０から返答通信情報があり、システム制御回路１０１は返答通信情報を受信すると、当該返答通信情報の内容をチェックする（ステップＳ８０３）。なお、当該返答通信情報には、ストロボユニット１０に装着された電池ユニット１が正規品であるか否かを示す情報が含まれている。
【０１２８】
ストロボユニット１０に正規品の電池ユニット１が装着されていると（ステップＳ５０３において、ＹＥＳ）、システム制御回路１０１はストロボユニット１０における選択充電動作モードは通常充電動作モードであると判定する（ステップＳ８０４）。そして、システム制御回路１０１は、通常充電動作モードであることを示すストロボ情報を、システム制御回路１０１の内蔵メモリに記録する（ステップＳ８０５）。
【０１２９】
その後、システム制御回路１０１は、ストロボ情報に応じて通常動作モード（通常動作シーケンス）で動作する（ステップＳ８０６）。
【０１３０】
一方、ストロボユニット１０で規定外の電池ユニット１が使用されると判定すると（ステップＳ８０３において、ＮＯ）、システム制御回路１０１はストロボユニット１０では選択充電動作モードとして充電抑制動作モードが選択されていると判定する（ステップＳ８０７）。
【０１３１】
そして、システム制御回路１０１は、充電抑制動作モードであることを示すストロボ情報を、システム制御回路１０１の内蔵メモリに記録する（ステップＳ８０８）。その後、システム制御回路１０１はストロボ情報を情報表示部１１２又は撮像情報表示部１１７に表示して告知を行う（ステップＳ８０９）。
【０１３２】
当該告知では、「ストロボ充電抑制中」「ストロボ側電池の通信ができない状態です」等の文言が表示される。または、ストロボアイコンを点滅させる等して、ユーザに充電抑制モードであることを知らせるようにしてもよい。
【０１３３】
その後、システム制御回路１０１は充電抑制動作モードに合致する動作モード（抑制動作モード）でカメラ１００を動作させる（ステップＳ８１０）。
【０１３４】
この抑制動作モードでは、ストロボ充電時間に合わせて、連続撮影可能時間（一般的には撮影コマ速）が変更された撮影シーケンスが行われる。例えば、通常動作モードではコマ速が１０コマ／秒ある場合、システム制御回路１０１は、抑制動作モードでは５コマ／秒に連続撮影時間を変化させる。つまり、充電抑制動作モードにおいては、ストロボユニット１０において充電に要する充電時間が長くなっているので、ストロボユニット１０の充電能力に合わせて撮影コマ速を変化させることになる（この場合、連続撮影可能時間を短くする）。
【０１３５】
以上のように、この実施の形態においては、ストロボユニット１０に装着される電池ユニット１に応じてストロボユニット１０の充電動作を制御している。そして、規定外の電池ユニット１がストロボユニット１０に装着された場合においても、当該規格外の電池ユニット１を安全に使用できるようにしている。
【０１３６】
さらには、規定外の電池ユニット１が装着されたストロボユニット１０がカメラ１００に装着された場合には、規格外の電池ユニット１に対応してカメラ１００の動作を制御するようにしている。
【０１３７】
なお、上述の実施の形態では、ストロボユニット１０において、充電抑制動作モードの際には、昇圧回路１５を制御して充電時間を長くするようにしたが、例えば、電池ユニット１の放電電流を切換える負荷切換えスイッチを設けて制御を行うようにしてもよい。
【０１３８】
さらに、上述の実施の形態では、ストロボユニット１０が装着されるカメラ１００を例に挙げて説明したが、電池等の各種バッテリーが装着される電子機器等であれば同様にしてこの電源制御装置を用いることができる。
【０１３９】
上述の説明から明らかなように、上記の実施の形態では、ストロボユニット１０のシステム制御回路１１が、判定手段、モード選択手段、及び充電実行手段として機能することになる。また、システム制御回路１１及び表示回路３０が告知手段として機能することになる。そして、システム制御回路１１はスイッチ部１３をオンオフ制御するスイッチ制御手段として機能する。
【０１４０】
このように、上述の実施の形態では、システム制御回路１１、表示回路３０、及びスイッチ部１３によって電源制御装置が構成されることになる。
【０１４１】
また、上記の実施の形態では、カメラ１００のシステム制御回路１０１と情報表示部１１２又は撮像情報表示部１１７とがモード告知手段として機能し、システム制御回路１０１が撮影設定手段として機能することになる。
【０１４２】
以上、本発明について実施の形態に基づいて説明したが、本発明は、これらの実施の形態に限定されるものではなく、この発明の要旨を逸脱しない範囲の様々な形態も本発明に含まれる。
【０１４３】
例えば、上記の実施の形態の機能を電源制御方法として、この電源制御方法を、ストロボユニット１０が備えるコンピュータに実行させるようにしてもよい。さらに、上述の実施の形態の機能を有するプログラムを電源制御プログラムとして、この電源制御プログラムを、ストロボユニット１０が備えるコンピュータに実行させるようにしてもよい。この際、電源制御方法及び電源制御プログラムは、少なくとも判定ステップ、モード選択ステップ、及び充電実行ステップを有することになる。
【０１４４】
また、上述した実施形態の機能を実現するソフトウェア（プログラム）を、ネットワーク又は各種のコンピュータに読み取り可能な記録媒体を介してシステム或いは装置に供給するようにしてもよい。そして、そのシステム或いは装置のコンピュータ（またはＣＰＵやＭＰＵ等）がプログラムを読み出して実行する処理ようにしてもよい。
【符号の説明】
【０１４５】
１  電池ユニット
２  電池
３  電池制御回路
１０  ストロボユニット
１１，１０１  システム制御回路
１３  スイッチ部
１５  昇圧回路
３０  表示回路
１００  カメラ
【図１】
2013083810.tif 000003
【図２】
2013083810.tif 000004
【図３】
2013083810.tif 000005
【図４】
2013083810.tif 000006
【図５】
2013083810.tif 000007
【図６】
2013083810.tif 000008
【図７】
2013083810.tif 000009
【図８】
2013083810.tif 000010